(57)【特許請求の範囲】
【請求項１】
垂直な壁面と、前記垂直な壁面の下端縁にその全長にわたって接続し、前記垂直な壁面から内向きにのびる水平な壁面とで形成され、モルタル化粧仕上げされる建物外構の隅角部に固定して使用される屋外用照明装置であって、
横長平板状の垂直部分と、
前記垂直部分の下端縁にその全長にわたって接続する横長平板状の水平部分と、
前記水平部分および前記垂直部分間に設けられて、前記水平部分の長さ方向にのびる取付構造と、を備え、前記取付構造は、前記垂直部分の下端縁から上方に一定間隔をあけた位置において前記垂直部分の内側壁面に直交する水平な上面を有しており、
前記屋外用照明装置は、さらに、
前記垂直部分および前記水平部分によって形成された隅角部の稜線にその全長にわたって突設された平板状の第１の仕切壁と、
前記水平部分の幅方向の端縁にその全長にわたって接続し、前記第１の仕切壁と同じ側に突出する平板状の第２の仕切壁と、
前記取付構造に取り付けられて前記取付構造の長さ方向にのびるとともに、前記水平部分の前記幅方向の端縁の外側であって前記第２の仕切壁の下端縁と前記取付構造の上面との間の領域に位置して、下向きにライン状の光を照射する発光ユニットと、を備え、前記発光ユニットはその長さ方向に一列に配列された複数個のＬＥＤを有しており、
前記垂直部分の内側壁面および前記取付構造の上面によって形成された隅角部が前記建物外構の隅角部に重ね合わされ、
前記垂直部分の内側壁面および前記取付構造の上面がそれぞれ前記建物外構の前記垂直な壁面および前記水平な壁面に接着され、
前記垂直部分および前記水平部分のそれぞれの外側壁面が、前記第１の仕切壁および前記第２の仕切壁によって規定される厚さの前記モルタル化粧仕上げの塗布層を有するものであることを特徴とする屋外用照明装置。
【請求項２】
前記発光ユニットが前記取付構造に着脱自在に取り付けられていることを特徴とする請求項１に記載の屋外用照明装置。
【請求項３】
前記発光ユニットは、前記発光ユニットから照射されるライン状の光の光軸が、垂直方向に対して前記水平部分の前記幅方向の端縁から外向きに１０〜１５°の角度をなすように前記取付構造に取り付けられていることを特徴とする請求項１または請求項２に記載の屋外用照明装置。
【請求項４】
前記垂直部分の壁面には、その全体にわたって一様に複数の開口が設けられていることを特徴とする請求項１〜請求項３のいずれかに記載の屋外用照明装置。
【発明の詳細な説明】
【技術分野】
【０００１】
本発明は、建物の外構の壁面に取り付けて使用する屋外用照明装置、特に、門柱の表札や、玄関アプローチの階段の段差部等を照明するための屋外用照明装置に関するものである。
【背景技術】
【０００２】
従来技術においては、夜間に、門柱の表札や玄関アプローチの階段の段差部等を照明する、いわゆるエクステリア照明が行われており、そのために使用する種々の屋外用照明装置がこれまでに提案されている。
【０００３】
従来の屋外用照明装置として、例えば、横長形状のボックスを、その開口部が前方へ向くようにブロック塀の一区画に埋設固定するとともに、ボックス内に蛍光灯を収容し、ボックスの前面開口部を透光板によって閉じ、さらに、蛍光灯の前方に蛍光灯からの光を上下外方に反射させるように裏面が湾曲状に傾斜した反射板を設けたものが知られている（例えば、特許文献１参照）。
【０００４】
この照明装置によれば、蛍光灯からの光が透光板を通過し、人の目に直接向かうことなく反射板によって上下外方へ反射し、その反射光によって間接照明的にその上下に位置するブロック塀の壁面に取り付けられた表札や郵便受け箱の投入口等が照明される。
【０００５】
しかしながら、この照明装置は、蛍光灯の使用により比較的大きなサイズを有し、しかも、反射板の表面側がブロック塀の壁面に露出するので、ブロック塀の壁面上のかなりの面積を占有し、よって、ブロック塀の外観がスッキリとしないという欠点を有している。また、ブロック塀の壁面上に開口するボックスの前面開口部を透光板によって閉じた構造となっているので、雨水がボックス内に侵入しやすく、装置の故障が生じやすいという欠点を有している。加えて、サイズが大きいことから、この照明装置を玄関アプローチの階段に取り付けて、その段差部の照明のために使用することはできなかった。
【０００６】
また、細長いケース本体内に、複数のＬＥＤが一列に取り付けられた基板を収容し、ケース本体内に樹脂製充填材を充填したものからなる発光モジュールが知られており（例えば、特許文献２参照）、この発光モジュールを使用した屋外用照明装置が提案されている。
この屋外用照明装置は、図６（Ａ）に示すように、モルタル２３で化粧仕上げされたブロック塀２０の一部に形成された横長矩形状の凹部２０ａの上側水平面に、発光モジュール２１を取り付け、発光モジュール２１から下向きに光を照射することによって、凹部２０ａの垂直な底面に固定された表札２２等を照明するようにしたものである。しかし、この装置は、発光モジュール２１がブロック塀２０の外側から丸見えになって、外観が損なわれてしまうという欠点を有している。
【０００７】
そこで、図６（Ｂ）に示すように、ブロック塀２０の前面にタイル貼り２４を施工し、タイルによってブロック塀２０の凹部２０ａの開口の上端領域を覆うことによって、発光モジュール２１を目隠しすることがなされるが、この構成では、施工にかなりコストがかってしまう。
【０００８】
さらに、このように、発光モジュール２１を凹部２０ａの上側水平面に直接取り付ける構成とすると、発光モジュール２１から照射されるライン状の光の光軸を垂直方向に対し斜めに設定することが容易ではなく、凹部２０ａの奥行が比較的大きいと、表札２２等をうまく照明できない場合があり、施工のやり直しが必要になることもある。
【先行技術文献】
【特許文献】
【０００９】
【特許文献１】実開平５−８８０６号公報
【特許文献２】特開２００９−５４６１７号公報
【発明の概要】
【発明が解決しようとする課題】
【００１０】
したがって、本発明の課題は、美観を損なうことなく簡単にかつ低コストで施工できる屋外用照明装置を提供することにある。
【課題を解決するための手段】
【００１１】
上記課題を解決するため、本発明は、垂直な壁面と、前記垂直な壁面の下端縁にその全長にわたって接続し、前記垂直な壁面から内向きにのびる水平な壁面とで形成され、モルタル化粧仕上げされる建物外構の隅角部に固定して使用される屋外用照明装置であって、横長平板状の垂直部分と、前記垂直部分の下端縁にその全長にわたって接続する横長平板状の水平部分と、前記水平部分および前記垂直部分間に設けられて、前記水平部分の長さ方向にのびる取付構造と、を備え、前記取付構造は、前記垂直部分の下端縁から上方に一定間隔をあけた位置において前記垂直部分の内側壁面に直交する水平な上面を有しており、前記屋外用照明装置は、さらに、前記垂直部分および前記水平部分によって形成された隅角部の稜線にその全長にわたって突設された平板状の第１の仕切壁と、前記水平部分の幅方向の端縁にその全長にわたって接続し、前記第１の仕切壁と同じ側に突出する平板状の第２の仕切壁と、前記取付構造に取り付けられて前記取付構造の長さ方向にのびるとともに、前記水平部分の前記幅方向の端縁の外側であって前記第２の仕切壁の下端縁と前記取付構造の上面との間の領域に位置して、下向きにライン状の光を照射する発光ユニットと、を備え、前記発光ユニットはその長さ方向に一列に配列された複数個のＬＥＤを有しており、前記垂直部分の内側壁面および前記取付構造の上面によって形成された隅角部が前記建物外構の隅角部に重ね合わされ、前記垂直部分の内側壁面および前記取付構造の上面がそれぞれ前記建物外構の前記垂直な壁面および前記水平な壁面に接着され、前記垂直部分および前記水平部分のそれぞれの外側壁面が、前記第１の仕切壁および前記第２の仕切壁によって規定される厚さの前記モルタル化粧仕上げの塗布層を有するものであることを特徴とする屋外用照明装置を構成したものである。
ここで、用語「モルタル化粧仕上げ」は、モルタルを含む、一般に知られた左官材料の塗布による化粧仕上げを総称したものである。以下同様。
【００１２】
上記構成において、前記発光ユニットが前記取付構造に着脱自在に取り付けられていることが好ましい。
また、前記発光ユニットは、前記発光ユニットから照射されるライン状の光の光軸が、垂直方向に対して前記水平部分の前記幅方向の端縁から外向きに１０〜１５°の角度をなすように前記取付構造に取り付けられていることが好ましい。
また、前記垂直部分の壁面には、その全体にわたって一様に複数の開口が設けられていることが好ましい。
【発明の効果】
【００１３】
本発明によれば、屋外用照明装置を建物の外構の隅角部に接着し、外構の隅角部と一緒にモルタル化粧仕上げすることによって、外構の隅角部に取り付けることができるので、施工が非常に容易であり、しかも施工コストが安くてすむ。
また、本発明によれば、屋外用照明装置が外構と一緒にモルタル化粧仕上げされ、外側から完全に目隠しされてしまうので、非常にスッキリとした外観になる。そして、発光ユニットが外側から見えないので、良好な間接照明が得られる。
さらに、本発明によれば、施工前に、発光ユニットを、取付構造に対し、発光ユニットから照射されるライン状の光の光軸が被照明物に対して最適となるよう予め取り付けておくことにより、屋外用照明装置の施工後に光軸の調整が必要になることがなく、よって、施工のやり直しが生じることがない。
【図面の簡単な説明】
【００１４】
【図１】本発明の１実施例による屋外用照明装置を示す図であり、（Ａ）は斜視図であり、（Ｂ）は側断面図である。
【図２】図１（Ａ）の屋外用照明装置を反対側から見た斜視図である。
【図３】図１の屋外用照明装置の施工状態の１例を示す断面図である。
【図４】図１の屋外用照明装置の施工状態の別の例を示す断面図である。
【図５】図４の配線カバー部材を示した図であり、（Ａ）は、表面側から見た斜視図であり、（Ｂ）は裏面側から見た斜視図である。
【図６】屋外用照明装置の従来例を示す断面図である。
【発明を実施するための形態】
【００１５】
以下、添付図面を参照して本発明の好ましい実施例を説明する。図１は、本発明の１実施例による屋外用照明装置を示す図であり、（Ａ）は斜視図であり、（Ｂ）は側断面図である。図２は、図１（Ａ）の屋外用照明装置を反対側から見た斜視図である。
【００１６】
図１および図２を参照して、本発明による屋外用照明装置は、横長平板状の垂直部分１と、垂直部分１の下端縁にその全長にわたって接続する横長平板状の水平部分２と、水平部分２および垂直部分１間に設けられて、水平部分２の長さ方向にのびる取付構造３とを備えている。垂直部分１の壁面には、その全体にわたって一様に多数の円形開口１ｃが設けられている。
【００１７】
この実施例では、垂直部分１、水平部分２および取付構造３は、プラスチック成形によって一体形成されているが、これらの構成要素の形成材料はプラスチックに限定されず、また、別個に形成した垂直部分１、水平部分２および取付構造３を互いに接合する構成としてもよい。
【００１８】
取付構造３は、この実施例では、垂直部分１の下端縁から上方に一定間隔をあけた位置において垂直部分１の内側壁面１ｂに突設され、内側壁面１ｂに垂直にかつ垂直部分１の長さ方向にのびる平板状の第１の部分３ｂと、第１の部分３ｂの幅方向の端縁および水平部分２の幅方向の端縁を接続する傾斜した平板状の第２の部分３ｃを有している。第１の部分３ｂの上面は、取付構造３における垂直部分１の内側壁面１ｂに直交する水平な上面３ａを形成する。
また、水平部分２と第１の部分３ｂの間には、水平な板状の第３の部分３ｄが水平部分の長さ方向にのび、かつ第２の部分３ｃと垂直部分１を接続している。
【００１９】
さらに、この実施例では、第２の部分３ｃの外側壁面には、第２の部分３ｃの長さ方向に間隔をあけた複数の位置（この実施例では、３箇所）に、平板状の第４の部分３ｅが突設され、第２の部分３ｃの外側壁面にほぼ垂直にかつ第２の部分３ｃの長さ方向にのびている。この場合、第４の部分３ｅは、その先端が取付構造３の上面３ａよりも上方に突出しない高さ位置にある。
【００２０】
また、第４の部分３ｅの先端縁にはその全長にわたって平板状の第５の部分３ｆが接続されて、第２の部分３ｃの下端の手前まで、かつ次第に第２の部分３ｃに近づくようにのびている。さらに、第５の部分３ｆの先端部の第２の部分３ｃに対向する面には、その全長にわたって係止突起３ｇが設けられている。
【００２１】
第２の部分３ｃと、第４の部分３ｅと、第５の部分３ｆとから発光ユニット取付部７が形成される。この場合、第２の部分３ｃは固定部として機能する一方、第５の部分３ｆは、先端に第２の部分３ｃから遠ざかる向きに力が及ぼされると、その向きに基端部を支点として撓み得るが、当該力が取り除かれると元の形状に復帰する程度の弾性を有し、可動部として機能する。
【００２２】
発光ユニット６は、細長い形状を有し、その長さ方向に一列に配列された複数個のＬＥＤを備え、ライン状の光を照射する公知の発光ユニットからなっている。発光ユニット６は、コ字状断面の細長い発光ユニットホルダー８に、その光照射部が発光ユニットホルダー８から突き出す配置で嵌め込まれる。そして、発光ユニット６は、発光ユニットホルダー８側が先頭になるようにして、第２の部分３ｃと第５の部分３ｆの間に、発光ユニットホルダー８の下端面が係止突起３ｇに係止されるまで挿入され、それによって、発光ユニット取付部７に取り付けられる。
【００２３】
一方、発光ユニット取付部７から発光ユニット６を取り外す場合には、第５の部分３ｆの先端部を手で外側に押して、係止突起３ｇを発光ユニットホルダー８から外すだけで、非常に簡単に発光ユニット６を取り外すことができる。
こうして、この実施例では、発光ユニット６を取付構造３の発光ユニット取付部７に着脱自在に取り付けるようにしたので、本発明の屋外用照明装置の施工後に、発光ユニット６に故障等の不具合が生じた場合に、発光ユニット６を簡単に取り外して修理しまたは新しいものと交換することができる。
なお、発光ユニット６を取付構造３に着脱自在に取り付ける代わりに、発光ユニット６を取付構造３に取り外しできないように固定する構成としてもよい。
【００２４】
また、第２の部分３ｃが垂直方向に対し水平部分２の幅方向の端縁から外向きに傾斜する角度が、発光ユニット取付部７に取り付けられる発光ユニット６からの照射光の光軸の角度に対応するようになっている。この実施例では、発光ユニット６からの照射光の光軸の角度が１０〜１５°になるように、第２の部分３ｃの傾斜角が設定されている。
【００２５】
本発明の屋外用照明装置は、さらに、垂直部分１および水平部分２によって形成された隅角部の稜線にその全長にわたって突設された平板状の第１の仕切壁４と、水平部分２の幅方向の端縁にその全長にわたって接続し、第１の仕切壁４と同じ側に突出する平板状の第２の仕切壁５を備えている。この実施例では、第２の部分３ｃと第２の仕切壁は、１つの傾斜した壁をなすように一体形成されている。第１の仕切壁４には、その全長にわたって等間隔に多数の円形開口４ａが設けられている。
【００２６】
この実施例では、取付構造３を、第１〜第５の部分３ｂ〜３ｆおよび係止突起３ｇとから構成したが、取付構造３の構成はこの実施例に限定されない。取付構造３は、垂直部分１の下端縁から上方に一定間隔をあけた位置において垂直部分１の内側壁面１ｂに直交する水平な上面３ａを有し、さらに、発光ユニット６を、水平部分２の幅方向の端縁の外側であって第２の仕切壁５の下端縁と取付構造３の上面３ａとの間の領域に取り付け可能になっておれば、どのような構成を有していてもよい。
【００２７】
次に本発明の屋外用照明装置の施工方法を説明する。図３は、図１の屋外用照明装置の施工状態の１例を示した断面図である。
図３を参照して、本発明の屋外用照明装置は、垂直な壁面９ａと、垂直な壁面９ａの下端縁にその全長にわたって接続し、垂直な壁面９ａから内向きにのびる水平な壁面９ｂとで形成され、モルタル化粧仕上げされる建物外構の隅角部に固定して使用される。このような建物外構の隅角部としては、例えば、表札等の取付部として、門柱の前面に設けられた凹部の上側隅角部や、玄関アプローチの階段の段鼻部等がある。
【００２８】
そして、本発明の屋外用照明装置の垂直部分１の内側壁面１ｂおよび取付構造３の上面３ａによって形成された隅角部が建物外構の上記隅角部に重ね合わされ、垂直部分１の内側壁面１ｂおよび取付構造３の上面３ａがそれぞれ建物外構の垂直な壁面９ａおよび水平な壁面９ｂに接着剤１５によって接着され、次いで、垂直部分１および水平部分２のそれぞれの外側壁面１ａ、２ａに、第１の仕切壁４および第２の仕切壁５によって規定される厚さのモルタル１０等の左官材料の塗布による化粧仕上げがなされる。
【００２９】
こうして、本発明によれば、屋外用照明装置を建物の外構の隅角部に接着し、外構の隅角部と一緒にモルタル化粧仕上げすることによって、外構の隅角部に取り付けることができるので、施工が非常に容易に、かつ低コストで行える。
また、屋外用照明装置が外構と一緒にモルタル化粧仕上げされ、外側から完全に目隠しされてしまうので、非常にスッキリとした外観になる。そして、発光ユニット６が外側から見えないので、良好な間接照明が得られる。
さらに、施工前に、発光ユニット６を、取付構造３に対し、発光ユニット６からのライン状の照射光の光軸が被照明物に対して最適となるよう予め取り付けておくことにより、屋外用照明装置の施工後に光軸の調整が必要になることがなく、よって、施工のやり直しが生じることがない。
【００３０】
図４は、図１の屋外用照明装置の施工状態の別の例を示す断面図である。図４の実施例は、図３の実施例に、発光ユニットの配線のための構成を付加したものである。よって、図４中、図３と同じ構成要素には同一番号を付して詳細な説明を省略する。
図４を参照して、建物の外構がコンクリートブロックによって形成される場合には、通常、コンクリートブロックの空洞部１３内に配線用配管１４が配置されるとともに、この配線用配管１４内に、発光ユニット６の電力供給用の配線１１が通される。
【００３１】
そして、この実施例では、破線用配管１４の先端開口と、本発明の屋外用照明装置の発光ユニット６の間に、図５に示すような配線カバー部材１２が取り付けられる。図５を参照して、配線カバー部材１２は、長円形の開口を有するドーム状部分１２ａと、ドーム状部分１２ａの開口端縁に設けられた長方形状のフランジ部分１２ｂとから形成されている。
【００３２】
配線カバー部材１２は、コンクリートブロックに設けられた空洞部内において、ドーム状部分１２ａの開口が下向きになった状態で、ドーム状部分１２ａの開口の長手方向一端側が配線用配管１４の先端開口に重なり、かつ、ドーム状部分１２ａの開口の長手方向他端側が、本発明の屋外用照明装置が取り付けられる外構隅角部の水平な壁面９ｂにおける、発光ユニット取付部７の近傍に開口するように、コンクリートブロックに固定される。そして、配線用配管１４が配線カバー部材１２に固定され、発光ユニット６の配線１１が、配線カバー部材１２の内側空間１２ｃ内を通って、配線用配管１４および発光ユニット６間に渡される
この実施例によれば、本発明の屋外用照明装置の配線施工が容易になり、しかも、コンクリートブロック内に浸み込む雨水から、屋外用照明装置の配線を確実に保護することができる。
【００３３】
なお、本発明の屋外用照明装置は、垂直部分１および水平部分２を建物外構の隅角部に接着した後、垂直部分１および水平部部分２のそれぞれの外側壁面１ａ、２ａにモルタル等の左官材料の塗布による化粧仕上げをして施工する構成としているが、その代わりに、例えば、第１および第２の仕切壁４、５を設けず、そして、垂直部分１および水平部分２を建物外構の隅角部に接着した後、垂直部分１および水平部分２のそれぞれの外側壁面１ａ、２ａに、当該建物外構の隅角部と同じ貼り仕上げまたは石貼り仕上げをして施工する構成とすることもできる。
【符号の説明】
【００３４】
１  垂直部分
１ａ  外側壁面
１ｂ  内側壁面
１ｃ  開口
２  水平部分
２ａ  外側壁面
３  取付構造
３ａ  上面
３ｂ  第１の部分
３ｃ  第２の部分
３ｄ  第３の部分
３ｅ  第４の部分
３ｆ  第５の部分
３ｇ  係止突起
４  第１の仕切壁
４ａ  開口
５  第２の仕切壁
６  発光ユニット
７  発光ユニット取付部
８  発光ユニットホルダー
９ａ  垂直な壁面
９ｂ  水平な壁面
９ｃ  奥側の垂直な壁面
１０  モルタル
１１  発光ユニット配線
１２  配線カバー部材
１２ａ  ドーム状部分
１２ｂ  フランジ部分
１２ｃ  内側空間
１３  コンクリートブロックの空洞部
１４  配線用配管
１５  接着剤
２０  ブロック塀
２０ａ  凹部
２１  発光モジュール
２２  表札
２３  モルタル
２４  タイル貼り
【図１】
0005993187.tif 000002
【図２】
0005993187.tif 000003
【図３】
0005993187.tif 000004
【図４】
0005993187.tif 000005
【図５】
0005993187.tif 000006
【図６】
0005993187.tif 000007